(57)【要約】      （修正有）【課題】気管への経口挿管にも食道や胃袋への経口挿管にも適用できる挿管補助器具を提供する。【解決手段】本体は、挿管補助器具全体の中央近くに延伸しており、第一カバー３０は、一側面１５側から本体１０と結合してその間に喉頭における挿管状況を観察する喉頭鏡手段を挿入するための喉頭鏡手段挿入経路を形成しており、第二カバー２０は、他側面１６側から本体１０と結合して気管内チューブ経路と痰吸引チューブ経路との二本の気管への挿管経路を形成している。更に、第二カバー２０自体のアーク外面１４に、食道への挿管経路としての食道チューブ経路が形成されている。【選択図】図５
0003159537.tif 000002
【実用新案登録請求の範囲】
【請求項１】
経口挿管のため、患者の喉頭を展開する挿管補助器具であって、気管への挿管経路と食道への挿管経路とを有する上、患者の喉頭を展開すると、前記気管への挿管経路の末端が気管の入り口と対応し、前記食道への挿管経路の末端が食道の入り口と対応するようになる構成を有することを特徴とする挿管補助器具。
【請求項２】
前記気管への挿管経路は、気管内チューブ経路と痰吸引チューブ経路との二本の経路に分かれていることを特徴とする請求項１に記載の挿管補助器具。
【請求項３】
喉頭における挿管状況を観察する喉頭鏡手段を挿入するための喉頭鏡手段挿入経路も形成されていることを特徴とする請求項２に記載の挿管補助器具。
【請求項４】
その全体が、喉頭に挿入する挿入端と、口外に露出する露出端と、アーク外面と、アーク内面と、一側面と、他側面とを有するアーク形のものであって、
前記露出端近くから前記挿入端近くまで延伸している本体と、
前記本体の前記一側面側から該本体と結合してその間に前記喉頭鏡手段挿入経路を形成している第一カバーと、
前記本体の前記他側面側から該本体と結合して前記気管内チューブ経路と前記痰吸引チューブ経路とを形成しており、且つ、それ自体に前記食道への挿管経路が形成されている第二カバーと、からなっていることを特徴とする請求項３に記載の挿管補助器具。
【請求項５】
前記食道への挿管経路は、
前記第二カバーのアーク外面に、前記露出端近くから前記挿入端へと延伸し、且つ前記第二カバーのアーク形に沿ってその深さが徐々に浅くなり、最終的にその底部が前記第二カバーのアーク外面と連続するように形成されている開槽内部分と、
前記第二カバーのアーク外面の、前記開槽内部分の底部と連続している上、前記挿入端近くまで延伸している開槽外部分とからなっていることを特徴とする請求項４に記載の挿管補助器具。
【請求項６】
前記気管内チューブ経路は、前記全体の他側面に、前記露出端近くから前記挿入端へと延伸するように形成された開槽から構成されており、
前記開槽は、前記アーク内面側にある周壁が前記本体の構成の一部として形成され、底部と前記アーク外面側にある周壁が第二カバーの構成の一部として形成されており、
また、前記開槽の前記露出端近くの槽外に、前記開槽の案内によって挿入する気管内チューブの露出端を保持するためのフックが形成されていることを特徴とする請求項５に記載の挿管補助器具。
【請求項７】
前記本体の前記露出端近くは管形となっており、
前記フックは、前記本体における管形部分の外面に形成してあり、
また、前記喉頭鏡手段挿入経路は、前記管形部分における喉頭鏡手段挿入口として開口していることを特徴とする請求項５に記載の挿管補助器具。
【請求項８】
側面における投影図では、前記食道への挿管経路は、前記気管内チューブ経路と前記痰吸引チューブ経路より前記アーク外面の方に寄っており、
前記気管内チューブ経路は、前記痰吸引チューブ経路より広くなっていることを特徴とする請求項５に記載の挿管補助器具。
【請求項９】
前記喉頭鏡手段挿入経路は、前記挿入端側にある覗き窓を末端としていることを特徴とする請求項７に記載の挿管補助器具。
【考案の詳細な説明】
【技術分野】
【０００１】
本考案は、挿管補助器具に関し、特に、経口挿管用チューブを案内できる挿管補助器具に関する。
【背景技術】
【０００２】
経口挿管とは、口からチューブを気管、食道、又は胃袋に挿入する医療行為である。
【０００３】
気管に経口挿管するにおいて、挿管補助器具がよく使われている。従来の挿管補助器具には、図１に示されているように、患者の喉頭を展開すると同時に、その挿管経路の末端が気管の入り口と対応するようになる、という構成を有するものがあり、これを使用することで気管内チューブや痰吸引チューブを簡単に挿入できるようになる。
【０００４】
また、喉頭における挿管の当否を観察するため、喉頭鏡手段が内蔵された挿管補助器具９もよく使われている（特許文献１参照）。
【先行技術文献】
【特許文献】
【０００５】
【特許文献１】特願２００８−５５１８０５号公報
【考案の概要】
【考案が解決しようとする課題】
【０００６】
しかしながら、この従来の挿管補助器具９は、気管内チューブまたは痰吸引チューブの挿入の場合のみに使われるので、食道チューブまたは胃袋チューブを同時に挿入する必要がある場合に適用できず、理想的とはいえない。
【０００７】
前記欠点に鑑みて、本考案は、気管への経口挿管にも食道または胃袋への経口挿管にも適用できる挿管補助器具の提供を目的とする。
【課題を解決するための手段】
【０００８】
前記目的を達成するため、本考案は、経口挿管のため、患者の喉頭を展開する挿管補助器具であって、気管への挿管経路と食道への挿管経路とを有する上、患者の喉頭を展開すると、前記気管への挿管経路の末端が気管の入り口と対応し、前記食道への挿管経路の末端が食道の入り口と対応するようになる構成を有することを特徴とする挿管補助器具を提供する。
【０００９】
本考案の実施形態として、前記気管への挿管経路は、気管内チューブ経路と痰吸引チューブ経路との二本の経路に分かれているものが挙げられる。
【００１０】
また、喉頭における挿管状況を観察する喉頭鏡手段を挿入するための喉頭鏡手段挿入経路も形成されているものも挙げられる。
【００１１】
そしてまた、その全体が、喉頭に挿入する挿入端と、口外に露出する露出端と、アーク外面と、アーク内面と、一側面と、他側面とを有するアーク形のものであって、前記露出端近くから前記挿入端近くまで延伸している本体と、前記本体の前記一側面側から該本体と結合してその間に前記喉頭鏡手段挿入経路を形成している第一カバーと、前記本体の前記他側面側から該本体と結合して前記気管内チューブ経路と前記痰吸引チューブ経路とを形成しており、且つ、それ自体に前記食道への挿管経路が形成されている第二カバーと、からなっているものも挙げられる。
【考案の効果】
【００１２】
前記構成による本考案の挿管補助器具は、気管への挿管経路と食道への挿管経路とを有し、患者の喉頭を展開すると、気管への挿管経路の末端が気管の入り口と対応し、食道への挿管経路の末端が食道の入り口と対応するようになる構成を有するので、気管への挿管と食道への挿管を同時に行うことができる。
【図面の簡単な説明】
【００１３】
【図１】特許文献１に記載の従来の挿管補助器具を示す斜視図である。
【図２】本考案の実施例の一側面から見た分解斜視図である。
【図３】本考案の実施例の他側面から見た分解斜視図である。
【図４】前記実施例が組み立てられた後の斜視図である。
【図５】前記実施例の他側面から見た斜視図である。
【図６】図４のＶＩ―ＶＩ線に沿った断面図である。
【図７】本考案の実施例に喉頭鏡手段及び経口挿管用チューブを設置した状態の斜視図である。
【考案を実施するための形態】
【００１４】
以下、図２〜７を参照しながら、本考案の挿管補助器具の実施例を説明する。
【実施例】
【００１５】
まず、図４及び図５に示すように、本実施例の挿管補助器具は、その全体が、患者の喉頭（図示せず）を展開するのに便利なアーク形となっており、喉頭に挿入される挿入端１２と、口外に露出する露出端１１と、アーク外面１４と、アーク内面１３と、一側面１５と、他側面１６とを有している。
【００１６】
そして、図２、図３及び図６に示すように、この挿管補助器具は、共に露出端１１から挿入端１２へと延伸している本体１０と、第一カバー３０と、第二カバー２０との部材からなっている。
【００１７】
本体１０と、第一カバー３０と、第二カバー２０とは、それぞれプラスチック材から一体成型されている。
【００１８】
本体１０は、挿管補助器具全体の中央近くに延伸しており、第一カバー３０は、一側面（１５）側から本体１０と結合してその間に喉頭における挿管状況を観察する喉頭鏡手段４００を挿入するための喉頭鏡手段（４００）挿入経路を形成しており、第二カバー２０は、他側面（１６）側から本体１０と結合して気管内チューブ（３００）経路と痰吸引チューブ（２００）経路との二本の気管への挿管経路を形成している。更に、第二カバー２０自体のアーク外面１４に、食道への挿管経路としての食道チューブ（５００）経路が形成されている。
【００１９】
図３及び図４に示すように、この食道チューブ（５００）経路は、第二カバー２０のアーク外面１４に、露出端１１近くから挿入端１２へと延伸し、且つ第二カバー２０のアーク形に沿ってその深さが徐々に浅くなり、最終的にその底部２１２が第二カバー２０のアーク外面１４と連続するように形成されている開槽内部分２１３と、第二カバー２０のアーク外面１４の、開槽内部分２１３の底部２１２と連続している上、挿入端１２近くまで延伸し、食道への挿管経路の末端となっている開槽外部分２１１とからなっている。
【００２０】
図２及び図５に示すように、気管内チューブ（３００）経路は、全体の他側面１６に、内側周壁１２２と、外側周壁２１と、露出端１１近くから、気管内チューブ（３００）経路の末端となる挿入端１２近くまで延伸した底部２２とで形成された開槽６０から構成されている。図面に示すように、アーク内面（１３）側にある内側周壁１２２は、本体１０の構成の一部として形成されている。底部２２と、アーク外面（１４）側にある外側周壁２１は、第二カバー２０の構成の一部として形成されている。
【００２１】
また、本体１０の露出端１１近くは管形となっており、この管形部分１００は喉頭鏡手段（４００）付きディスプレイ装置（図示せず）が設置され得るようになっており、その外面に複数の滑り止め１９が形成されている。開槽６０の露出端１１近くの槽外の、本体１０における管形部分１００の外面に、開槽６０の案内によって挿入する気管内チューブ３００の露出端を保持するためのフック１７が形成されている。
【００２２】
そして、喉頭鏡手段（４００）挿入経路は、本体１０の管形部分１００における喉頭鏡手段（４００）挿入口１１１としての開口部から延伸し、挿入端１２側にある覗き窓１８を末端としている。このような構造により、喉頭鏡手段（４００）付きディスプレイ装置の喉頭鏡手段４００を喉頭鏡手段挿入経路に挿入してからそのディスプレイ装置を本体１０の管形部分１００に設置すると、覗き窓１８を介して補助器具全体の挿入端１２前方を喉頭鏡手段で撮影しながら、映像をディスプレイ装置に表示し、患者の喉頭の状態や喉頭における挿管状況を観察することができる。
【００２３】
この挿管補助器具の、側面における投影図では、食道チューブ（５００）経路は、気管内チューブ（３００）経路と痰吸引チューブ（２００）経路よりアーク外面１４の方に寄っている。このような構造により、本実施例の挿管補助器具を患者の喉頭に挿入すると、食道への挿管経路の末端は、挿管補助器具に対して奥の方にある食道の入り口に対応し、また、気管への挿管経路の末端は、挿管補助器具に対して手前の方にある気管の入り口に対応するようになるので、経口挿管が簡単にできるようになる。
【００２４】
また、気管内チューブ（３００）は、通常、痰吸引チューブ２００より太く形成されているので、本実施例の挿管補助器具の気管内チューブ（３００）経路は、痰吸引チューブ（２００）経路より広くなっている。
【００２５】
図７によると、この挿管補助器具は、その気管内チューブ（３００）経路の構成及び食道への挿管経路の構成が開槽になっており、喉頭鏡手段挿入経路の構成及び痰吸引チューブ（２００）経路の構成が管形になっているので、喉頭鏡手段４００による観察及び痰吸引チューブ２００による吸引をした後、気管内チューブ３００及び食道チューブ５００を挿入状態にしたまま、喉頭鏡手段４００及び痰吸引チューブ２００を挿管補助器具と共に患者の口内から取り出すことができる。
【００２６】
なお、図６に示すように、この挿管補助器具は、その喉頭鏡手段（４００）挿入経路も痰吸引チューブ（２００）経路も細長い管状になっているが、喉頭鏡手段（４００）挿入経路は本体１０と第一カバー３０とに分けられて構成されており、また、痰吸引チューブ（２００）経路は、本体１０と第二カバー２０とに分けられて構成されているので、その部材の一体成型が容易になり、製造工程が簡単になる。
【産業上の利用可能性】
【００２７】
上述したように、本考案の挿管補助器具は、気管への挿管と食道への挿管を同時に行うことができるので、両方の同時挿入が必要である場合にも適用でき、医療現場での利用において非常に便利である。
【符号の説明】
【００２８】
１０  本体
１１  露出端
１２  挿入端
１３  アーク内面
１４  アーク外面
１５  一側面
１６  他側面
１７  フック
１８  覗き窓
１９  滑り止め
１００  管形部分
１１１  喉頭鏡手段挿入口
１２２  内側周壁
２０  第二カバー
２１  外側周壁
２２  底部
２１１  開槽外部分
２１２  底部
２１３  開槽内部分
３０  第一カバー
６０  開槽
２００  痰吸引チューブ
３００  気管内チューブ
４００  喉頭鏡手段
５００  食道チューブ
【図１】
0003159537.tif 000003
【図２】
0003159537.tif 000004
【図３】
0003159537.tif 000005
【図４】
0003159537.tif 000006
【図５】
0003159537.tif 000007
【図６】
0003159537.tif 000008
【図７】
0003159537.tif 000009
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
経口挿管のため、患者の喉頭を展開する挿管補助器具であって、気管への挿管経路と食道への挿管経路とを有する上、患者の喉頭を展開すると、前記気管への挿管経路の末端が気管の入り口と対応し、前記食道への挿管経路の末端が食道の入り口と対応するようになる構成を有することを特徴とする挿管補助器具。
【請求項２】
前記気管への挿管経路は、気管内チューブ経路と痰吸引チューブ経路との二本の経路に分かれていることを特徴とする請求項１に記載の挿管補助器具。
【請求項３】
喉頭における挿管状況を観察する喉頭鏡手段を挿入するための喉頭鏡手段挿入経路も形成されていることを特徴とする請求項２に記載の挿管補助器具。
【請求項４】
その全体が、喉頭に挿入する挿入端と、口外に露出する露出端と、アーク外面と、アーク内面と、一側面と、他側面とを有するアーク形のものであって、
前記露出端近くから前記挿入端近くまで延伸している本体と、
前記本体の前記一側面側から該本体と結合してその間に前記喉頭鏡手段挿入経路を形成している第一カバーと、
前記本体の前記他側面側から該本体と結合して前記気管内チューブ経路と前記痰吸引チューブ経路とを形成しており、且つ、それ自体に前記食道への挿管経路が形成されている第二カバーと、からなっていることを特徴とする請求項３に記載の挿管補助器具。
【請求項５】
前記食道への挿管経路は、
前記第二カバーのアーク外面に、前記露出端近くから前記挿入端へと延伸し、且つ前記第二カバーのアーク形に沿ってその深さが徐々に浅くなり、最終的にその底部が前記第二カバーのアーク外面と連続するように形成されている開槽内部分と、
前記第二カバーのアーク外面の、前記開槽内部分の底部と連続している上、前記挿入端近くまで延伸している開槽外部分とからなっていることを特徴とする請求項４に記載の挿管補助器具。
【請求項６】
前記気管内チューブ経路は、前記全体の他側面に、前記露出端近くから前記挿入端へと延伸するように形成された開槽から構成されており、
前記開槽は、前記アーク内面側にある周壁が前記本体の構成の一部として形成され、底部と前記アーク外面側にある周壁が第二カバーの構成の一部として形成されており、
また、前記開槽の前記露出端近くの槽外に、前記開槽の案内によって挿入する気管内チューブの露出端を保持するためのフックが形成されていることを特徴とする請求項５に記載の挿管補助器具。
【請求項７】
前記本体の前記露出端近くは管形となっており、
前記フックは、前記本体における管形部分の外面に形成してあり、
また、前記喉頭鏡手段挿入経路は、前記管形部分における喉頭鏡手段挿入口として開口していることを特徴とする請求項６に記載の挿管補助器具。
【請求項８】
側面における投影図では、前記食道への挿管経路は、前記気管内チューブ経路と前記痰吸引チューブ経路より前記アーク外面の方に寄っており、
前記気管内チューブ経路は、前記痰吸引チューブ経路より広くなっていることを特徴とする請求項５に記載の挿管補助器具。
【請求項９】
前記喉頭鏡手段挿入経路は、前記挿入端側にある覗き窓を末端としていることを特徴とする請求項７に記載の挿管補助器具。